(57)【要約】【課題】  遊技機設置島のスペースに左右されることなく、ＩＣタグを用いて遊技機を監視する監視システム及び遊技媒体貸出装置を提供する。【解決手段】  遊技媒体を貸し出す貸出装置３０に、遊技機に設置された監視タグ８６と通信するためのＲＦ回路３８が設けられており、監視アンテナ６８を介して監視タグ８６に呼出波を送信し、監視タグ６８から反射波の返送を受け、反射波に含まれている識別情報が予め貸出装置３０に登録されている識別情報と等しければ、監視タグ８６が設置されている部材が正常であると判断される。【選択図】  図５
2005348823.tif 000002
【特許請求の範囲】
【請求項１】
他のＩＣタグと区別するための識別情報を記憶したＩＣタグである監視タグが遊技機の所定の部材に設置されており、
前記監視タグを呼び出す呼出波を送信する第１呼出波送信手段と、
前記監視タグから返送される反射波を受信する第１反射波受信手段と、
前記第１呼出波送信手段及び前記第１反射波受信手段に接続され、前記監視タグの設置されている前記部材が所定の位置に存在する際に前記監視タグと通信可能な位置に設置された第１アンテナと、
前記監視タグの識別情報を前記監視タグが備えられている位置毎に記憶する監視識別情報記憶手段と、
前記第１呼出波送信手段が前記呼出波を送信してから所定時間内に前記第１反射波受信手段が前記反射波を受信せず通信不能状態となった場合、又は、前記反射波に含まれる前記識別情報が予め前記監視識別情報記憶手段に記憶されている前記識別情報と異なっている場合に異常と判断する判断手段と、
当該判断手段による判断結果を監視情報として記憶する監視情報記憶手段と
を備えて前記遊技機の監視を行う監視手段を備えた監視システムであって、
前記遊技機には、有価情報を有する有価情報記録媒体又は現金の投入に基づいて遊技媒体の貸し出しを行う遊技媒体貸出装置が接続され、
前記監視手段は、前記遊技媒体貸出装置に設けられていることを特徴とする監視システム。
【請求項２】
携帯可能な端末である携帯情報端末は、
ＩＣタグを呼び出す呼出波を送信する第２呼出波送信手段と、
ＩＣタグから返送される反射波を受信する第２反射波受信手段と、
前記第２呼出波送信手段及び前記第２反射波受信手段に接続された第２アンテナと
を備え、
前記遊技媒体貸出装置は、
前記携帯情報端末と通信するためのＩＣタグである中継タグと、
前記中継タグから出力された情報を受信する第１受信手段と、
前記中継タグへ情報を出力する第１出力手段と
を備え、
前記中継タグは、
前記第１呼出波送信手段から送信された前記呼出波を受信する呼出波受信手段と、
当該呼出波受信手段で受信した前記呼出波に含まれている情報に基づいて、前記第１受信手段へ情報を出力する第２出力手段と、
前記第１出力手段から出力された情報を受信する第２受信手段と、
当該第２受信手段が受信した情報を前記反射波に載せて送信する反射波送信手段と
を備え、
前記中継タグは前記遊技媒体貸出装置の前面に設置されていることを特徴とする請求項１に記載の監視システム。
【請求項３】
複数の前記遊技媒体貸出装置を通信ネットワークを介して接続した管理端末を備え、
前記遊技媒体貸出装置は、
前記管理端末へ前記監視情報を送信する監視情報送信手段を備え、
前記管理端末は、
前記遊技媒体貸出装置から送信された前記監視情報を受信する監視情報受信手段と、
当該監視情報受信手段が受信した前記監視情報を遊技機毎に記憶する総合監視情報記憶手段と
を備えたことを特徴とする請求項１又は２に記載の監視システム。
【請求項４】
有価情報を有する有価情報記録媒体又は現金の投入に基づいて遊技機で使用する遊技媒体の貸し出しを行う遊技媒体貸出装置であって、
他のＩＣタグと区別するための識別情報を記憶したＩＣタグである監視タグが遊技機の所定の部材に設置されており、
前記監視タグを呼び出す呼出波を送信する第１呼出波送信手段と、
前記監視タグから返送される反射波を受信する第１反射波受信手段と、
前記第１呼出波送信手段及び前記第１反射波受信手段に接続され、前記監視タグの設置されている前記部材が所定の位置に存在する際に前記監視タグと通信可能な位置に設置された第１アンテナと、
前記監視タグの識別情報を前記監視タグが備えられている位置毎に記憶する監視識別情報記憶手段と、
前記第１呼出波送信手段が前記監視タグへ前記呼出波を送信した後、所定時間以内に前記第１反射波受信手段が前記監視タグから前記反射波を受信し、かつ、前記反射波に含まれる識別情報が前記監視識別情報記憶手段に記憶されている識別情報と一致する場合に正常と判断する判断手段と、
当該判断手段による判断結果を監視情報として記憶する監視情報記憶手段と
を備えていることを特徴とする遊技媒体貸出装置。
【請求項５】
前記遊技媒体貸出装置は、
前記ＩＣタグを呼び出す呼出波を送信する第２呼出波送信手段と、前記ＩＣタグから返送される反射波を受信する第２反射波受信手段と、前記第２呼出波送信手段及び前記第２反射波受信手段に接続された第２アンテナとを備えた携帯情報端末から送信された前記呼出波を受信し、反射波を返送するＩＣタグである中継タグと、
前記中継タグから出力された情報を受信する第１受信手段と、
前記中継タグへ情報を送信する第１送信手段と
を備え、
前記中継タグは、
前記第２呼出波送信手段から送信された前記呼出波を受信する呼出波受信手段と、
当該呼出波受信手段で受信した前記呼出波に含まれている情報に基づいて、前記第１受信手段へ情報を出力する第２出力手段と、
前記第１送信手段から出力された情報を受信する第２受信手段と、
当該第２受信手段が受信した情報を前記反射波に載せて送信する反射波送信手段と
を備え、
当該中継タグは前記遊技媒体貸出装置の前面に設置されていることを特徴とする請求項４に記載の遊技媒体貸出装置。
【請求項６】
複数の前記遊技媒体貸出装置を通信ネットワークを介して接続した管理端末へ前記監視情報を送信する監視情報送信手段を備えたことを特徴とする請求項４又は５に記載の遊技媒体貸出装置。
【発明の詳細な説明】
【技術分野】
【０００１】
本発明は、監視システム及び遊技媒体貸出装置に関するものであり、詳細には、ＩＣタグを使用して、遊技機の監視を行う監視システム及び遊技媒体貸出装置に関するものである。
【背景技術】
【０００２】
従来、遊技機においては、遊技者が不当に遊技媒体を獲得する不正行為が後を絶たず、種々の防止策が施されている。例えば、遊技機の制御を司る制御基板において、不正行為を行う者が不当に遊技球を獲得できるように変更された不当な制御プログラムが記憶されたＲＯＭを備えた制御基板に交換されるという不正行為があり、不正ＲＯＭの制御基板への交換を防止するために、制御基板を収納する基板ボックスには、様々な工夫が施されている。
【０００３】
そこで、本出願人は、ＩＣタグを用いて遊技機に対する不正行為を監視するシステムを提案している（例えば、特許文献１，２参照）。これらの監視システムにおいては、遊技機の所定の位置にＩＣタグが貼り付けられ、ＩＣタグ監視装置によりこれらのＩＣタグを呼び出す呼出波が送信され、予め登録されている識別データのＩＣタグから呼出波に対する反射波が返送された場合には、監視されている部材が正常であるとされ、反射波が返送されなかったり、予め登録されていない識別データのＩＣタグからの反射波を受信したりした場合には、監視場所に異常があるとして異常を示す情報がＩＣタグ監視装置に記憶されている。そして、特許文献１では異常が発生した際に遊技場内に設けられた管理機により異常を報知している。また、特許文献２では、携帯可能な読取装置を用いてＩＣタグ監視装置に記憶されている監視履歴を読み取り、閲覧している。ここで、ＩＣタグ監視装置と読取装置との通信は、ＩＣタグ監視装置に接続され、遊技機の前面に設置された管理タグを介して行われている。
【０００４】
また、従来、遊技者が遊技機で使用する遊技媒体を借りるには、遊技媒体貸出装置が利用されている。この遊技媒体貸出装置は遊技機に接続しており、遊技機に隣接して遊技機設置島に設置されている。そして、遊技者が遊技媒体貸出装置に遊技場が発行したプリペイドカード又は現金を投入し、遊技媒体貸出装置又は遊技機に備えられている貸出ボタンを押すと、所定量の遊技媒体が貸し出される。
【特許文献１】特開２００４−０６５８０１号公報
【特許文献２】特開２００４−０８１４６３号公報
【発明の開示】
【発明が解決しようとする課題】
【０００５】
このようにＩＣタグを用いて監視を行うためには、遊技機の近くにＩＣタグ監視装置を設置する必要がある。しかしながら、遊技機が設置されている遊技機設置島には、遊技機の他に遊技媒体貸出装置が設置され、遊技機の背面側には遊技媒体を供給・回収するための装置が設置されており、ＩＣタグ監視装置を設置するスペースを確保できない場合がある。また、特許文献２のように、管理タグを介してＩＣタグ監視装置の監視履歴を読取装置で読み取る場合では、管理タグを必ずしも同じ位置に設置できる訳ではなく、遊技機の機種により管理タグの設置位置が異なり、遊技場の係員にとっては不便であるという問題点がある。
【０００６】
本発明は、上述の問題点を解決するためになされたものであり、遊技機設置島のスペースに左右されることなく、ＩＣタグを用いて遊技機を監視する監視システム及び遊技媒体貸出装置を提供しようとするものである。
【課題を解決するための手段】
【０００７】
上記課題を解決するため、請求項１に係る発明の監視システムでは、他のＩＣタグと区別するための識別情報を記憶したＩＣタグである監視タグが遊技機の所定の部材に設置されており、前記監視タグを呼び出す呼出波を送信する第１呼出波送信手段と、前記監視タグから返送される反射波を受信する第１反射波受信手段と、前記第１呼出波送信手段及び前記第１反射波受信手段に接続され、前記監視タグの設置されている前記部材が所定の位置に存在する際に前記監視タグと通信可能な位置に設置された第１アンテナと、前記監視タグの識別情報を前記監視タグが備えられている位置毎に記憶する監視識別情報記憶手段と、前記第１呼出波送信手段が前記呼出波を送信してから所定時間内に前記第１反射波受信手段が前記反射波を受信せず通信不能状態となった場合、又は、前記反射波に含まれる前記識別情報が予め前記監視識別情報記憶手段に記憶されている前記識別情報と異なっている場合に異常と判断する判断手段と、当該判断手段による判断結果を監視情報として記憶する監視情報記憶手段とを備えて前記遊技機の監視を行う監視手段を備えた監視システムであって、前記遊技機には、有価情報を有する有価情報記録媒体又は現金の投入に基づいて遊技媒体の貸し出しを行う遊技媒体貸出装置が接続され、前記監視手段は、前記遊技媒体貸出装置に設けられていることを特徴とする構成となっている。尚、遊技媒体貸出装置は有価情報記録媒体又は現金を投入する投入口を設けている。
【０００８】
また、請求項２に係る発明の監視システムでは、請求項１に記載の発明の構成に加えて、携帯可能な端末である携帯情報端末は、ＩＣタグを呼び出す呼出波を送信する第２呼出波送信手段と、ＩＣタグから返送される反射波を受信する第２反射波受信手段と、前記第２呼出波送信手段及び前記第２反射波受信手段に接続された第２アンテナとを備え、前記遊技媒体貸出装置は、前記携帯情報端末と通信するためのＩＣタグである中継タグと、前記中継タグから出力された情報を受信する第１受信手段と、前記中継タグへ情報を出力する第１出力手段とを備え、前記中継タグは、前記第１呼出波送信手段から送信された前記呼出波を受信する呼出波受信手段と、当該呼出波受信手段で受信した前記呼出波に含まれている情報に基づいて、前記第１受信手段へ情報を出力する第２出力手段と、前記第１出力手段から出力された情報を受信する第２受信手段と、当該第２受信手段が受信した情報を前記反射波に載せて送信する反射波送信手段とを備え、前記中継タグは前記遊技媒体貸出装置の前面に設置されていることを特徴とする構成となっている。
【０００９】
また、請求項３に係る発明の監視システムでは、請求項１又は２に記載の発明の構成に加えて、複数の前記遊技媒体貸出装置を通信ネットワークを介して接続した管理端末を備え、前記遊技媒体貸出装置は、前記管理端末へ前記監視情報を送信する監視情報送信手段を備え、前記管理端末は、前記遊技媒体貸出装置から送信された前記監視情報を受信する監視情報受信手段と、当該監視情報受信手段が受信した前記監視情報を遊技機毎に記憶する総合監視情報記憶手段とを備えたことを特徴とする構成となっている。
【００１０】
また、請求項４に係る発明の遊技媒体貸出装置では、有価情報を有する有価情報記録媒体又は現金の投入に基づいて遊技機で使用する遊技媒体の貸し出しを行う遊技媒体貸出装置であって、他のＩＣタグと区別するための識別情報を記憶したＩＣタグである監視タグが遊技機の所定の部材に設置されており、前記監視タグを呼び出す呼出波を送信する第１呼出波送信手段と、前記監視タグから返送される反射波を受信する第１反射波受信手段と、前記第１呼出波送信手段及び前記第１反射波受信手段に接続され、前記監視タグの設置されている前記部材が所定の位置に存在する際に前記監視タグと通信可能な位置に設置された第１アンテナと、前記監視タグの識別情報を前記監視タグが備えられている位置毎に記憶する監視識別情報記憶手段と、前記第１呼出波送信手段が前記監視タグへ前記呼出波を送信した後、所定時間以内に前記第１反射波受信手段が前記監視タグから前記反射波を受信し、かつ、前記反射波に含まれる識別情報が前記監視識別情報記憶手段に記憶されている識別情報と一致する場合に正常と判断する判断手段と、当該判断手段による判断結果を監視情報として記憶する監視情報記憶手段とを備えていることを特徴とする構成となっている。尚、遊技媒体貸出装置は有価情報記録媒体又は現金を投入する投入口を設けている。
【００１１】
また、請求項５に係る発明の遊技媒体貸出装置では、請求項４に記載の発明の構成に加えて、前記遊技媒体貸出装置は、前記ＩＣタグを呼び出す呼出波を送信する第２呼出波送信手段と、前記ＩＣタグから返送される反射波を受信する第２反射波受信手段と、前記第２呼出波送信手段及び前記第２反射波受信手段に接続された第２アンテナとを備えた携帯情報端末から送信された前記呼出波を受信し、反射波を返送するＩＣタグである中継タグと、前記中継タグから出力された情報を受信する第１受信手段と、前記中継タグへ情報を送信する第１送信手段とを備え、前記中継タグは、前記第２呼出波送信手段から送信された前記呼出波を受信する呼出波受信手段と、当該呼出波受信手段で受信した前記呼出波に含まれている情報に基づいて、前記第１受信手段へ情報を出力する第２出力手段と、前記第１送信手段から出力された情報を受信する第２受信手段と、当該第２受信手段が受信した情報を前記反射波に載せて送信する反射波送信手段とを備え、当該中継タグは前記遊技媒体貸出装置の前面に設置されていることを特徴とする構成となっている。
【００１２】
また、請求項６に係る発明の遊技媒体貸出装置では、請求項４又は５に記載の発明の構成に加えて、複数の前記遊技媒体貸出装置を通信ネットワークを介して接続した管理端末へ前記監視情報を送信する監視情報送信手段を備えたことを特徴とする構成となっている。
【発明の効果】
【００１３】
請求項１に係る発明の監視システムでは、従来から遊技機設置島に設置されている遊技媒体貸出装置が監視手段として機能するので、監視手段を備えた監視用の装置を別途設置する必要がない。したがって、遊技機設置島において監視用の装置を設置するスペースがなくても、遊技媒体貸出装置において、ＩＣタグを用いて遊技機の所定の部材が所定の位置に存在するか否かの監視を行うことができ、所定の部材が移動された場合には、それを検知することができる。
【００１４】
また、請求項２に係る発明の監視システムでは、請求項１に記載の発明の効果に加えて、携帯情報端末の第２呼出波送信手段は、ＩＣタグを呼び出す呼出波を送信し、第２反射波受信手段は、ＩＣタグから返送される反射波を受信することができる。そして、第２アンテナは、第２呼出波送信手段及び第２反射波受信手段に接続されている。また、遊技媒体貸出装置の中継タグは、携帯情報端末と通信することのできるＩＣタグであり、第１受信手段は、中継タグから出力された情報を受信し、第１出力手段は、中継タグへ情報を出力することができる。また、中継タグの呼出波受信手段は、第１呼出波送信手段から送信された呼出波を受信し、第２出力手段は、呼出波受信手段で受信した呼出波に含まれている情報に基づいて、第１受信手段へ情報を出力し、第２受信手段は、第１出力手段から出力された情報を受信し、反射波送信手段は、第２受信手段が受信した情報を反射波に載せて送信することができる。したがって、中継タグと通信することにより携帯情報端末で監視情報を閲覧したり、携帯情報端末から遊技媒体貸出装置に種々の指示を与えたりすることができる。また、中継タグは遊技場係員が携帯情報端末の第２アンテナを向けやすい位置に設置されていることが望ましい。そこで、中継タグは遊技媒体貸出装置の前面に設置されているので、携帯情報端末と中継タグとの通信を行いやすい。また、遊技場において、遊技機は顧客の興味を惹くために新しい遊技機に頻繁に交換されるが、遊技媒体貸出装置の機種交換の頻度は低い。よって、中継タグは頻繁に機種交換が行われる遊技機に設置されて、機種交換の度に位置が変わってしまうよりも、機種交換の頻度の低い遊技媒体貸出装置に設置されている方が中継タグの位置が固定されていて、遊技場の係員にわかりやすい。
【００１５】
また、請求項３に係る発明の監視システムでは、請求項１又は２に記載の発明の効果に加えて、管理端末は通信ネットワークを介して複数の遊技媒体貸出装置を接続しており、遊技媒体貸出装置の監視情報送信手段は、管理端末へ監視情報を送信することができる。また、管理端末の監視情報受信手段は、遊技媒体貸出装置から送信された監視情報を受信し、総合監視情報記憶手段は、監視情報受信手段が受信した監視情報を遊技機毎に記憶することができる。したがって、遊技媒体貸出装置においてＩＣタグを用いて遊技機を監視した監視情報を管理端末に収集し、蓄積することができる。
【００１６】
また、請求項４に係る発明の遊技媒体貸出装置では、第１呼出波送信手段は、監視タグを呼び出す呼出波を送信し、第１反射波受信手段は、監視タグから返送される反射波を受信することができる。そして、第１アンテナは、第１呼出波送信手段及び第１反射波受信手段に接続され、監視タグの設置されている部材が所定の位置に存在する際には監視タグと通信することができる。また、監視識別情報記憶手段は、監視タグの識別情報を監視タグが備えられている位置毎に記憶し、判断手段は、第１呼出波送信手段が監視タグへ呼出波を送信した後、所定時間以内に第１反射波受信手段が監視タグから反射波を受信し、かつ、反射波に含まれる識別情報が監視識別情報記憶手段に記憶されている識別情報と一致する場合に正常と判断し、監視情報記憶手段は、判断手段による判断結果を監視情報として記憶することができる。したがって、遊技媒体貸出装置において、ＩＣタグを用いて遊技機の所定の部材が所定の位置に存在するか否かの監視を行うことができ、所定の部材が移動された場合には、それを検知することができる。
【００１７】
また、請求項５に係る発明の遊技媒体貸出装置では、請求項４に記載の発明の効果に加えて、遊技媒体貸出装置の中継タグは、携帯情報端末から送信された呼出波を受信し、反射波を返送することのできるＩＣタグであり、第１受信手段は、中継タグから出力された情報を受信し、第１送信手段は、中継タグへ情報を送信することができる。また、中継タグの呼出波受信手段は、第２呼出波送信手段から送信された呼出波を受信し、第２出力手段は、呼出波受信手段で受信した呼出波に含まれている情報に基づいて、第１受信手段へ情報を出力し、第２受信手段は、第１送信手段から出力された情報を受信し、反射波送信手段は、第２受信手段が受信した情報を反射波に載せて送信することができる。したがって、ＩＣタグを用いて遊技機の監視を行う遊技媒体貸出装置に対して、携帯情報端末から、種々の指示を行うことができるので、携帯情報端末から監視情報の取得指示を含む呼出波を送信して、遊技媒体貸出装置から監視情報を取得して、携帯情報端末で監視情報を閲覧したり、遊技媒体貸出装置の設定を変更する指示を含む呼出波を送信して、遊技媒体貸出装置の設定を変更したりすること等ができる。また、中継タグは遊技場係員が携帯情報端末の第２アンテナを向けやすい位置に設置されていることが望ましい。そこで、中継タグは遊技媒体貸出装置の前面に設置されているので、携帯情報端末と中継タグとの通信を行いやすい。また、遊技場において、遊技機は顧客の興味を惹くために新しい遊技機に頻繁に交換されるが、遊技媒体貸出装置の機種交換の頻度は低い。よって、中継タグは頻繁に機種交換が行われる遊技機に設置されて、機種交換の度に位置が変わってしまうよりも、機種交換の頻度の低い遊技媒体貸出装置に設置されている方が中継タグの位置が固定されていて、遊技場の係員にわかりやすい。
【００１８】
また、請求項６に係る発明の遊技媒体貸出装置では、請求項４又は５に記載の発明の効果に加えて、監視情報送信手段は、複数の遊技媒体貸出装置を通信ネットワークを介して接続した管理端末へ監視情報を送信することができる。したがって、遊技媒体貸出装置においてＩＣタグを用いて遊技機を監視した監視情報を管理端末において使用することができる。
【発明を実施するための最良の形態】
【００１９】
以下、本発明の一実施の形態について図面を参照して以下の順で説明する。
1．システム構成の概要説明
2．パチンコ機及び貸出装置の説明
3．監視場所の説明
4．ＩＣタグの説明
5．島管理端末の説明
6．遊技場管理端末の説明
7．携帯情報端末の説明
8．監視情報の説明
9．貸出装置の処理の説明
10．実施の形態と請求項との対比
11．実施の形態の効果
12．変形例の説明
【００２０】
1．システム構成の概要説明
図１は、本実施の形態の監視システムの構成図である。遊技機の一種であるパチンコ機１には、パチンコ機１に遊技媒体である遊技球を貸し出す貸出装置３０が接続されており、遊技場内にある複数台のパチンコ機１を背中合わせに２列に並べて設置した遊技機設置島２００の各々に島管理端末１００が設置されている。さらに、貸出装置３０が店内ネットワーク１５０を介して島管理端末１００に接続する構成となっている。また、島管理端末１００は遊技場全体を管理する遊技場管理端末３００に接続しており、この遊技場管理端末３００が各島管理端末１００を一括管理している。
【００２１】
尚、パチンコ機１には、監視を行う場所に監視タグ８６（ＩＣタグ）が備えられ、正常に設置されている場合に監視タグ８６と通信可能な位置に監視アンテナ６８が備えられている。本実施の形態では、基板ボックス等合計３箇所に備えられているが、具体的な設置場所については図２及び図３を参照して後述する。そして、監視の結果、異常が発生したり、異常が回復したりした場合には、その情報が監視情報として貸出装置３０のＥＥＰＲＯＭ３５、ＲＡＭ３４（図５参照）に記憶される。また、これらの情報は島管理端末１００に送信されて、さらに遊技場管理端末３００へ送信される。島管理端末１００では、受信した監視情報を報知し、その監視情報に対して遊技場内で係員が対応できるように構成されており、遊技場管理端末３００では店内ネットワーク１５０に接続している全てのパチンコ機１の監視情報を収集し、蓄積することができるように構成されている。また、ハンディターミナル（以下、「ＨＴ」と称する。）４００は、携帯可能な端末であり、貸出装置３０の中継タグ９０（図４参照）を介してと通信可能で、貸出装置３０へ種々の指示を与えたり、監視情報を閲覧したりすることができる。
【００２２】
2．パチンコ機及び貸出装置の説明
次に、図２乃至図５を参照してパチンコ機１、パチンコ機１に接続した貸出装置３０について説明する。図２は、パチンコ機１の前面枠１１１及び本体枠１１０を開いた状態をパチンコ機１の前面から見た斜視図である。図３は、パチンコ機１の背面図である。図４は、貸出装置３０の正面図である。図５は、パチンコ機１及びパチンコ機１に接続した貸出装置３０の電気的構成を示すブロック図である。
【００２３】
図２に示すように、パチンコ機１は、機枠１１２と、本体枠１１０と、前面枠１１１とから構成されている。機枠１１２は、パチンコ機１を遊技機設置島２００に固定するためのものである。また、本体枠１１０には、パチンコ機１の制御を司る種々の基板、図示外の発射機に遊技球を供給し、かつ、賞品球を受ける上皿５、賞品球を受ける下皿６、遊技球を発射するための発射ハンドル７、音声を発するスピーカー４８から成る本体１１３及び遊技盤２がはめ込まれている。種々の基板は、本体枠１１０の背面に備えられている。また、略正方形の遊技盤２は、本体１１３の正面の上半分の部分に設けられ、遊技盤２の下方部には上皿５が設けられ、上皿５の直下には下皿６が設けられ、下皿６の右横には発射ハンドル７が設けられ、上皿５と下皿６の間にはスピーカー４８が設けられている。そして、前面枠１１１は、透明なガラス板１１１ａを保持し、遊技盤２を保護のため覆っている。また、遊技盤２には、ガイドレール３で囲まれた略円形の遊技領域４が設けられており、発射ハンドル７を操作することにより発射された遊技球がガイドレール３に導かれて、遊技領域４へ侵入し、流下する。尚、遊技領域４の下部には、大入賞口１６が設けられ、さらに、種々の入賞口、電飾ランプ、風車、障害釘及び図柄表示装置等が設けられている。
【００２４】
次に、図３を参照して、パチンコ機１の背面の構造について説明する。図３はパチンコ機１の背面図である。図３に示すように、パチンコ機１の左下部背面には、パチンコ機１の主制御を司る主基板４１を収納した透明な樹脂製の主基板ボックス８１が設けられ、主基板ボックス８１の右隣には音基板４３が、音基板４３の右隣上方には電源基板４２がそれぞれ透明な樹脂製のボックスに収められ、その下方には払出制御基板４５が透明な樹脂製の払出制御基板ボックス８２に収められて配置されている。また、パチンコ機１の背面右中央、電源基板４２の上部には、払出装置６７が設けられている。この払出装置６７は、パチンコ機１の背面上部に設けられている遊技球タンク６５に貯留された遊技球を上皿５又は下皿６へ払い出す働きをする。さらに、主基板ボックス８１の上方には、遊技盤の裏面を保護し、各種配線を覆うセンターカバー８０が配置されている。尚、貸出装置３０の電源は、電源基板４２からではなく遊技機設置島２００の電源装置（図示外）から供給されている。
【００２５】
次に、図４を参照して、貸出装置３０について説明する。図４に示すように、貸出装置３０の前面にはその上部から表示部７７、紙幣挿入口９１、硬貨投入口９２、貸出ボタン７５、返却ボタン７６、硬貨返却口９３が設けられている。表示部７７は液晶パネルであり、紙幣挿入口９１や硬貨投入口９２から投入された貨幣の金額や遊技者へのメッセージ等が表示される。そして、貸出ボタン７５を押下すると所定金額が投入金額残高から差引かれて、パチンコ機１の払出制御基板４５へ遊技球払出の指示信号が出力され、払出装置６７が作動してパチンコ機１の上皿５に遊技球が貸し出される。また、返却ボタン７６が押下されると、投入金額残高の貨幣が紙幣挿入口９１、硬貨返却口９３から返却される。また、貸出装置３０の前面の内側上部には中継タグ９０が貼り付けられている。この中継タグ９０はケーブル９０ｋ（図５参照）により貸出装置３０のＩ／Ｏインタフェイス３７（図５参照）に接続している。
【００２６】
次に、図５を参照してパチンコ機１及び貸出装置３０の主な構成要素の電気的構成について説明する。パチンコ機１には、主基板４１、電源基板４２、音基板４３、図柄表示基板４４、払出制御基板４５、電飾基板４６、中継基板４７、発射基板６６、サブ統合基板５８等が設けられている。主基板４１には、各種の演算処理を行うＣＰＵ５１が設けられており、フラグやカウンタ値やデータを記憶するＲＡＭ５２と、制御プログラム及び各種の初期値のデータや遊技領域４に設けられた図柄表示装置への表示内容のデータ等を記憶したＲＯＭ５３とが接続している。また、ＣＰＵ５１は、Ｉ／Ｏインタフェイス５４に接続しており、Ｉ／Ｏインタフェイス５４には、サブ統合基板５８、払出制御基板４５、中継基板４７が接続している。さらに、サブ統合基板５８には図柄表示基板４４、電飾基板４６、音基板４３が接続され、払出制御基板４５には発射基板６６及び払出装置６７が接続されている。電源基板４２は遊技機設置島に備えられた電源から電源供給を受けており、主基板４１、サブ統合基板５８、払出制御基板４５、発射基板６６に電源供給を行っている。
【００２７】
また、貸出装置３０には、貸出装置３０の制御を司るＣＰＵ３２が設けられている。ＣＰＵ３２はフラグやデータ等を一時的に記憶するＲＡＭ３４、制御プログラム及び各種の初期値のデータ等を記憶したＲＯＭ３３が内蔵されている。そして、ＣＰＵ３２には、監視情報等を記憶するＥＥＰＲＯＭ３５、監視タグ８６ａ，監視タグ８６ｂ，監視タグ８６ｃへ呼出波を送信し、反射波を受信するためのＲａｄｉｏ  Ｆｒｅｑｕｅｎｃｙ回路（以下、ＲＦ回路と称する）３８、時間管理を行うＲＴＣ７１、Ｉ／Ｏインタフェイス３７が接続している。さらに、ＲＦ回路３８に監視タグ８６ａ，監視タグ８６ｂ，監視タグ８６ｃと通信するための監視アンテナ６８ａ，監視アンテナ６８ｂ，監視アンテナ６８ｃが接続されている。
【００２８】
Ｉ／Ｏインタフェイス３７には、島管理端末１００と店内ネットワーク１５０を介して通信を行うための通信回路３６、遊技球を貸し出すために投入された硬貨を受け付け、その真偽を判定する硬貨判定装置７２、紙幣を受け付け、その真偽を判定する紙幣判定装置７３、硬貨判定装置７２で正しい硬貨と判定された硬貨及び紙幣判定装置７３で正しい紙幣と判定された紙幣を搬送、回収する貨幣搬送装置７４、貸出装置３０の前面に設けられ、遊技者が遊技球を借りる際に押下される貸出ボタン７５、遊技者が投入した貨幣の返却を求める際に押下される返却ボタン７６、投入された貨幣の金額等が表示される表示部７７、ＨＴ４００と通信するための中継タグ９０等が接続されている。尚、中継タグ９０はケーブル９０ｋによりＩ／Ｏインタフェイス３７に接続している。また、Ｉ／Ｏインタフェイス３７はパチンコ機１のＩ／Ｏインタフェイス５４と接続しており、主基板４１からパチンコ機１の遊技情報が貸出装置３０へ出力される。また、払出制御基板４５へも接続しており、貸出ボタン７５が押下されて遊技球が貸し出される際には、遊技球の払出を指示する信号が払出制御基板へ送信される。
【００２９】
尚、監視タグ８６ａ，監視タグ８６ｂ，監視タグ８６ｃは、パチンコ機１の各監視場所に貼り付けられており、各監視場所が閉じられている状態で各監視タグ８６ａ，監視タグ８６ｂ，監視タグ８６ｃと通信可能な位置に監視アンテナ６８ａ，監視アンテナ６８ｂ，監視アンテナ６８ｃが設置されている。そして、監視アンテナ６８ａは監視タグ８６ａと通信をし、監視アンテナ６８ｂは監視タグ８６ｂと通信をし、監視アンテナ６８ｃは監視タグ８６ｃと通信をする。
【００３０】
3．監視場所の説明
次に、図２、図３、図６を参照して、監視タグ８６ａ〜８６ｃが備えられている監視場所について説明する。監視場所は、主基板４１が収容されている主基板ボックス８１（監視場所１）、本体枠１１０と機枠１１２（監視場所２）、前面枠１１１と本体枠１１０（監視場所３）の３箇所であり、その開閉が監視されている。尚、監視場所１である主基板ボックス８１を監視するために、監視タグ８６ａ及び監視アンテナ６８ａが使用され、監視場所２である本体枠１１０と機枠１１２を監視するために、監視タグ８６ｂ及び監視アンテナ６８ｂが使用され、監視場所３である前面枠１１１と本体枠１１０を監視するために、監視タグ８６ｃ及び監視アンテナ６８ｃが使用される。
【００３１】
図３に示すように、主基板ボックス８１の図３における正面視右下の内面には監視タグ８６ａが貼り付けられている。ここで、図６を参照して主基板ボックス８１の監視について説明する。図６は、主基板ボックス８１の斜視図である。図６に示すように、主基板ボックス８１は、透明な樹脂製の平面視略長方形の上蓋部８１ａと、同じく透明な樹脂製の平面視略長方形の下蓋部８１ｃとから構成されている。また、上蓋部８１ａに対向する下蓋部８１ｃ上には、パチンコ機１の主制御を司る主基板４１が配置されている。そして、上蓋部８１ａの裏面側には、小型で長方形の監視タグ８６ａが接着剤等で接着されている。主基板４１の右下端部には、切り欠きが設けられ、その切り欠き位置には監視タグ８６と電磁波によるＲＦ送受信を行うためのコイル状の監視アンテナ６８ａが下蓋部８１ｃに設けられ、監視アンテナ６８ａは同軸ケーブル（図示外）により貸出装置３０のＲＦ回路３８に接続されている。
【００３２】
また、図２に示すように、機枠１１２の図２における右枠の内面には監視タグ８６ｂが貼り付けられており、本体１１３の右側面には監視アンテナ６８ｂが備えられている。尚、監視タグ８６ｂと監視アンテナ６８ｂとは本体枠１１０と機枠１１２とが閉じられた場合に、向き合う位置に配置されている。そして、本体枠１１０と機枠１１２とが閉じられている状態（正常な状態）では、監視タグ８６ｂと監視アンテナ６８ｂとが通信可能となり、本体枠１１０と機枠１１２とが開けられた状態（異常な状態）では、監視タグ８６ｂと監視アンテナ６８ｂとが通信不能となる。また、前面枠１１１と本体枠１１０とが閉じられた状態での、前面枠１１１の正面視右上の裏面（本体枠１１０と向き合う面）には、監視タグ８６ｃが貼り付けられている。そして、本体枠１１０の上枠の表面（前面枠１１１と向き合う面）には、監視アンテナ６８ｃが備えられている。尚、監視タグ８６ｃと監視アンテナ６８ｃとは前面枠１１１と本体枠１１０とが閉じられた場合に、向き合う位置に配置されている。そして、前面枠１１１と本体枠１１０とが閉じられている状態（正常な状態）では、監視タグ８６ｃと監視アンテナ６８ｃとが通信可能となり、前面枠１１１と本体枠１１０とが開けられた状態（異常な状態）では、監視タグ８６ｃと監視アンテナ６８ｃとが通信不能となる。
【００３３】
尚、本実施形態において、監視タグ８６と監視アンテナ６８は、１３．５６ＭＨｚの短波帯で通信を行っている。この周波数での通信はノイズによる影響を比較的受けにくいので、パチンコ機１の設置環境に適している。監視アンテナ６８ａと監視タグ８６ａとの距離は、上蓋部８１ａと下蓋部８１ｃを組み付けた状態で約３ｍｍになるように配置されている。この距離間ではＲＦ送受信が可能であり監視アンテナ６８ａを介した貸出装置３０からの呼び出しに監視タグ８６ａが応答することができ、監視アンテナ６８ａと監視タグ８６ａとの距離が約５ｍｍを超えると通信不能となるように設定されている。この通信可能距離は、監視アンテナ６８のコイルの巻き数やリアクタンス値により調節が可能である。このように通信可能距離を設定することにより、上蓋部８１ａのわずかな隙間の開放であっても検知することができ、また、振動等によるわずかな揺れでは通信不能とならないように調整されている。また、上述したように、この周波数帯での通信はノイズによる影響を比較的受けにくいが、他の電磁波を使用する部材からのノイズの影響による誤動作を少しでも防ぐために、監視タグ８６や監視アンテナ６８は、ソレノイドを使用している払出装置６７や発射基板６６の発射モータから離した位置である主基板４１の右下端部に配置している。
【００３４】
4．ＩＣタグの説明
次に、図７及び図６を参照して監視タグ８６ａ〜８６ｃの構造について説明する。図７は、監視タグ８６ａ〜８６ｃの平面図である。図８は、監視タグ８６ａ〜８６ｃの電気的回路構成を示すブロック図である。監視タグ８６ａ〜８６ｃは、それぞれ同様の構造をしている。図８に示すように、貸出装置３０からの呼出波に応答して反射波を放出するＲＦ回路８６１、アンテナ８６２、ＥＥＰＲＯＭ８６３が搭載されている。また、監視タグ８６は、図７に示すように、薄いフレキシブルプリント基板上にアンテナ８６２及びＩＣチップ８６４が設けられており、ＩＣチップ８６４には、ＲＦ回路８６１とＥＥＰＲＯＭ８６３とが一体となって構成されている。さらに、ＥＥＰＲＯＭ８６３には、監視タグ８６を他の監視タグから識別するための識別情報であるＩＤコードが上書消去禁止区域に記憶されている。
【００３５】
この監視タグ８６は、貸出装置３０から監視アンテナ６８を介して呼出波が送られてくると、アンテナ８６２がこれを受信するが、この呼出波には搬送波成分が含まれており、これを受信してＲＦ回路８６１で整流して直流電圧を得る。したがって、監視タグ８６は、電池や外部電源を使用せずに必要な時にいつでもデータを発信することができる。データの発信は、ＥＥＰＲＯＭ８６３からＩＤコードを読み出して反射波に乗せ、ＲＦ回路８６１から監視アンテナ６８に向けて送信する。
【００３６】
また、図９は、中継タグ９０の電気的回路構成を示すブロック図である。中継タグ９０も図７に示す監視タグ８６ａ〜８６ｃと同様に、薄いフレキシブルプリント基板上にアンテナ９０ｂ及びＩＣチップ９０ｄが設けられており、さらに、貸出装置３０へ接続するためのケーブル９０ｋが設けられている。また、ＩＣチップ９０ｄにはＲＦ回路９０ａとＥＥＰＲＯＭ９０ｃだけでなく、ＲＡＭ９０ｇ内蔵型のＣＰＵ９０ｆ及びＲＯＭ９０ｅを備えている。そして、監視タグ８６ａ〜８６ｃと同様に、ＥＥＰＲＯＭ９０ｃには、中継タグ９０を他のＩＣタグと識別するための識別情報であるＩＤコードが上書消去禁止区域に記憶されている。
【００３７】
5．島管理端末の説明
次に、図１０を参照して島管理端末１００について説明する。図１０は島管理端末１００の電気的構成を示すブロック図である。図１０に示すように、島管理端末１００は、各種の演算を行うＣＰＵ１０１と、貸出装置３０から受信した監視情報、各種フラグやデータ等を一時的に記憶するＲＡＭ１０２と、制御プログラム及び各種の初期値のデータ等を記憶したＲＯＭ１０３と、パチンコ機１の台番号等の登録情報を記憶したＥＥＰＲＯＭ１０４と、データの受け渡しを行うＩ／Ｏインタフェイス１０５と、店内ネットワーク１５０に接続するための通信回路１０６と、貸出装置３０から受信した監視情報を表示するための表示器１０７と、その監視情報に基づいて点灯される警告ランプ１０８と、表示器１０７の表示を消去及び警告ランプ１０８の消灯を行うためのクリアボタン１０９とから構成されている。
【００３８】
島管理端末１００の主な機能は監視情報の報知である。ＲＯＭ１０３に格納されている制御プログラムにより、貸出装置３０から監視情報を受信すると、表示器１０７に「００１番台、不正に開放されています！（１１：２１：５６）」等の障害の発生や回復を示す報知メッセージが表示され、さらに、遊技場の係員の注意を惹くために警告ランプ１０８が点灯される。そして、係員によりクリアボタン１０９が押下されると、報知メッセージが消され、警告ランプ１０８が消灯される。また、受信した監視情報は、自身で報知のためのデータとして使用されるとともに、受信の都度、遊技場管理端末３００へ送信もされる。
【００３９】
6．遊技場管理端末の説明
次に、図１１を参照して遊技場管理端末３００について説明する。図１１は遊技場管理端末３００の電気的構成を示すブロック図である。図１１に示すように、遊技場管理端末３００には、遊技場管理端末３００の制御を司るＣＰＵ３０１が設けられ、ＣＰＵ３０１には、各種のデータを一時的に記憶するＲＡＭ３０２と、ＢＩＯＳ等を記憶したＲＯＭ３０３と、データの受け渡しの仲介を行うＩ／Ｏインタフェイス３０４とが接続されている。Ｉ／Ｏインタフェイス３０４には、ハードディスク装置３６０が接続され、当該ハードディスク装置３６０には、各貸出装置３０から収集され、島管理端末１００から送信された監視情報をパチンコ機１毎に記憶する監視情報記憶エリア３６１と、ＣＰＵ３０１で実行されるプログラムを記憶したプログラム記憶エリア３６２と、その他の情報記憶エリア３６３とが設けられている。
【００４０】
また、Ｉ／Ｏインタフェイス３０４には、ビデオコントローラ３０５と、キーコントローラ３０６と、ＣＤ−ＲＯＭドライブ３０７と、通信回路３０８とが接続され、ビデオコントローラ３０５にはディスプレイ３０９が接続され、キーコントローラ３０６にはキーボード３１０が接続され、通信回路３０８は店内ネットワーク１５０に接続可能となっている。なお、ＣＤ−ＲＯＭドライブ３０７に挿入されるＣＤ−ＲＯＭ３１２には、遊技場管理端末３００の制御プログラムが記憶されており、導入時には、制御プログラムは、ＣＤ−ＲＯＭ３１２から、ハードディスク装置３６０にセットアップされてプログラム記憶エリア３６２に記憶されるようになっている。
【００４１】
遊技場管理端末３００の主な機能は監視情報の蓄積管理である。各貸出装置３０から島管理端末１００を介して送信された監視情報を受信すると（「監視情報受信手段」に相当）、監視情報記憶エリア３６１（図１６参照）に蓄積される。そして、それらの情報はディスプレイ３０９にて閲覧したり、プリンタを接続して印刷したりすることができる。
【００４２】
7．携帯情報端末の説明
次に、図１２及び図１３を用いてＨＴ４００について説明する。このＨＴ４００では、貸出装置３０の正面上部の内側に備えられた中継タグ９０（図４参照）と通信し、貸出装置３０に記憶されている監視情報を取得して閲覧したり、監視タグの交換に伴うＩＤコードの変更等の設定を行ったりすることができる。図１２は、ＨＴ４００の斜視図である。図１３は、ＨＴ４００の電気的構成のブロック図である。
【００４３】
まず、図１２を参照してＨＴ４００の形状を説明する。図１２に示すように、ＨＴ４００は、周知の携帯型情報端末であるＰＤＡ（Personal Digital Assistants）であり、上部にＳＤメモリカード（Secure Digital Memory Card）やＭＭＣ（Multi Media Card）等のメモリカード、あるいは小型フラッシュメモリカードやＰＣカード型のＰＨＳアダプタ等を挿入するためのカードスロットを備え、カードスロットには、アンテナ４０２とＲＦ回路４１０（図１３参照）を備えた読取ユニット４０１が挿入されている。読取ユニット４０１は、アンテナ４０２を中継タグ９０に適切な角度で向けられるように、回転軸４０６を中心に９０度の範囲で屈折可能な構成となっている。また、ＨＴ４００の正面にはメニュー画面や受信した監視情報を表示する表示パネル４０３、表示パネル４０３に表示されるカーソルや表示内容を上下左右に移動させるための方向キー４０５、表示パネル４０３の画面を操作するためのメニューキー４０４を備えている。さらに、ＨＴ４００の側面には赤外線通信用の赤外線通信ポート（図示外）が、底面には入出力ポート（図示外）からクレードル等を介してパーソナルコンピュータ等の外部機器に接続するためのコネクタ（図示外）が設けられている。
【００４４】
次に、図１３を参照してＨＴ４００の電気的構成を説明する。図１３に示すように、ＨＴ４００には、ＨＴ４００の制御を司るＣＰＵ４１１が設けられ、ＣＰＵ４１１には、各種のデータを一時的に記憶するＲＡＭ４１３と、ＣＰＵ４１１で実行される制御プログラムや表示パネル４０３に操作画面を表示するための画面情報等を記憶したＲＯＭ４１２と、不揮発性メモリの一種であるフラッシュメモリ４１４と、データの受け渡しの仲介を行うＩ／Ｏインタフェイス４０９とが接続されている。フラッシュメモリ４１４には、パチンコ機１から取得した監視情報や、パチンコ機毎の中継タグ９０のＩＤコード等が記憶されている。また、読取ユニット４０１は、中継タグ９０と通信するアンテナ４０２と、送信回路及び受信回路であるＲＦ回路４１０を備えており、アンテナ４０２はＲＦ回路４１０に接続し、ＲＦ回路４１０はＩ／Ｏインタフェイス４０９に接続している。また、表示パネル４０３と、外部装置とデータのやり取りを行う入出力回路４０７と、赤外線通信回路４０８と、入力キーであるメニューキー４０４及び方向キー４０５とがＩ／Ｏインタフェイス４０９に接続している。
【００４５】
ＨＴ４００の主な機能は、パチンコ機１及び貸出装置３０の目前での監視情報の閲覧である。ＨＴ４００のアンテナ４０２を貸出装置３０の正面上部（中継タグ９０）へ向けて、監視情報読み出しの操作をすると、監視情報取得の指示の情報を含んだ呼出波がＲＦ回路４１０からアンテナ４０２を介して送信される。そして、中継タグ９０から監視情報を含んだ反射波が返送されてくるので、アンテナ４０２を介してＲＦ回路４１０が受信し、表示パネル４０３に監視情報の内容が表示される。また、監視情報の閲覧の他に、監視タグの交換に伴うＩＤコードの変更や監視場所の追加等の各種設定を行うことができる。
【００４６】
8．監視情報の説明
次に、図１４〜図１６を参照して、貸出装置３０がパチンコ機１に取り付けられた監視タグ８６ａ〜８６ｃを監視した監視結果について説明する。監視結果は次の３箇所に記憶される。貸出装置３０のＥＥＰＲＯＭ３５、貸出装置３０のＲＡＭ３４、遊技場管理端末３００のハードディスク装置３６０である。貸出装置３０のＥＥＰＲＯＭ３５には、貸出装置３０が備えられているパチンコ機１で発生した異常に関する最新の情報が監視場所毎に記憶される（図１４参照）。貸出装置３０のＲＡＭ３４には、貸出装置３０が備えられているパチンコ機１で発生した異常に関する１日分の情報が時系列で記憶される（図１５参照）。また、これらの情報は島管理端末１００を介して遊技場管理端末３００に送信され、遊技場管理端末３００には、店内ネットワーク１５０に接続されたパチンコ機１の監視情報の全てが記憶される（図１６参照）。
【００４７】
図１４は、各監視場所の最新の監視情報が記憶されている貸出装置３０のＥＥＰＲＯＭ３５の最新監視情報記憶エリア３５１の概念図である。図１５は、１日分の監視情報が記憶されている貸出装置３０のＲＡＭ３４の履歴監視情報記憶エリア３４１の概念図である。図１６は、全てのパチンコ機１の監視情報が記憶されている遊技場管理端末３００の監視情報記憶エリア３６１の概念図である。
【００４８】
まず、図１４を参照して、各監視場所の最新の監視情報が記憶されている貸出装置３０のＥＥＰＲＯＭ３５の最新監視情報記憶エリア３５１について説明する。図１４に示すように、最新監視情報記憶エリア３５１には、監視場所１〜監視場所３毎に発生日付、発生時刻、復帰日付、復帰時刻、ＩＤエラーの情報が記憶されている。「発生日付」及び「発生時刻」には異常が発生した日付及び時刻がそれぞれ記憶され、「復帰日付」及び「復帰時刻」には異常が復帰した日付及び時刻がそれぞれ記憶され、「ＩＤエラー」には異常がＩＤコードの不一致に因るＩＤエラーであるか否かの情報が記憶される。尚、「ＩＤエラー」に「１」が記憶されている場合には、発生した異常の内容がＩＤコードの不一致に因るものであることを示している。「１」以外の値が記憶されている場合には、ＩＤコードの不一致に因らない異常、すなわち監視タグ８６から応答がない応答エラーであることを示している。
【００４９】
図１４に示す例では、監視場所１の発生日付には２００４年５月３日、発生時刻には２２時１９分２１秒、ＩＤエラーには「１」が記憶されており、復帰日付には、復帰時刻には、何も記憶されていない。つまり、監視場所１ではＩＤコード不一致による異常が発生中であり、まだ正常状態に復帰していない。監視場所２の発生日付には２００４年５月３日、発生時刻には２２時１６分１０秒、復帰日付には２００４年５月３日、復帰時刻には２２時１９分５０秒、ＩＤエラーには「０」が記憶されている。つまり、監視場所２では応答エラーが発生し、既に復帰している。監視場所３の発生日付には２００４年５月３日、発生時刻には１１時２１分５６秒、復帰日付には２００４年５月３日、復帰時刻には１１時２２分４０秒、ＩＤエラーには「０」が記憶されている。つまり、監視場所３でも応答エラーが発生し、既に復帰している。
【００５０】
次に、図１５を参照して、１日分の監視情報が記憶されている貸出装置３０のＲＡＭ３４の履歴監視情報記憶エリア３４１について説明する。図１５に示すように、履歴監視情報記憶エリア３４１には、時刻、監視場所、状態、ＩＤエラーの情報が時系列に記憶されている。「時刻」には、異常が発生又は復帰した時刻が記憶され、「監視場所」にはその異常が発生又は復帰した場所を示す番号が記憶され、「状態」には異常が発生したのかそれとも復帰したのかを示すコードが記憶され、「ＩＤエラー」には異常がＩＤコードの不一致に因るＩＤエラーであるか否かの情報が記憶される。尚、「状態」に「１」が記憶されている場合には、異常が発生したことを示しており、「２」が記憶されている場合には、異常が回復したことを示している。また、「ＩＤエラー」に「１」が記憶されている場合には、発生した異常の内容がＩＤコードの不一致に因るものであることを示している。「１」以外の値が記憶されている場合には、ＩＤコードの不一致に因らない異常、すなわち監視タグ８６から応答がない応答エラーであることを示している。
【００５１】
図１５に示す例では、１１時２１分５６秒に監視場所３に応答エラーが発生しており、１１時２２分４０秒に監視場所３の応答エラーが復帰している。そして、２２時１６分１０秒に監視場所２に応答エラーが発生し、２２時１６分１３秒に監視場所１の応答エラーが発生し、２２時１９分２０秒に監視場所１の応答エラーが回復し、２２時１９分２１秒に監視場所１のＩＤエラーが発生し、２２時１９分５０秒に監視場所２の応答エラーが回復している。尚、監視場所１のＩＤエラーは回復していない。
【００５２】
次に、図１６を参照して、店内ネットワーク１５０に接続しているパチンコ機１の全ての監視情報が記憶されている遊技場管理端末３００のＨＤＤ３６０の監視情報記憶エリア３６１について説明する。図１６に示すように、監視情報記憶エリア３６１には、パチンコ機１の台番号毎、日付毎に時系列に監視情報が記憶されている。監視情報については、図１５に示した履歴監視情報記憶エリア３４１の内容と同様であり、時刻、監視場所、状態、ＩＤエラーの情報が記憶されている。
【００５３】
図１６に示す例では、台番号００１の２００４年５月１日より前の監視情報は省略されているが、２００４年５月１日には、１７時２６分５３秒に監視場所３に応答エラーが発生し、１７時２８分１１秒にその応答エラーから復帰している。また、２００４年５月３日は、図１５に示した履歴監視情報記憶エリア３４１と同様に、１１時２１分５６秒に監視場所３に応答エラーが発生しており、１１時２２分４０秒に監視場所３の応答エラーが復帰している。そして、２２時１６分１０秒に監視場所２に応答エラーが発生し、２２時１６分１３秒に監視場所１の応答エラーが発生し、２２時１９分２０秒に監視場所１の応答エラーが回復し、２２時１９分２１秒に監視場所１のＩＤエラーが発生し、２２時１９分５０秒に監視場所２の応答エラーが回復している。尚、台番号００２以降のデータは省略されているが、台番号００１と同様に、日付毎に時系列に監視情報が記憶されている。
【００５４】
9．貸出装置の処理の説明
ここで、貸出装置３０の処理について図１７及び図１８のフローチャートを参照し説明する。貸出装置３０に電源が供給されると、ＣＰＵ３２においてメイン処理が実行される。メイン処理では、各監視場所の監視処理、遊技球の貸出処理、ＨＴ４００との通信による処理であるＨＴ処理が繰り返し実施される。図１７は、貸出装置３０のＣＰＵ３２で実施されるメイン処理のフローチャートである。図１８は、メイン処理の中で行われる監視場所の監視を行う監視処理のフローチャートである。
【００５５】
まず、図１７を参照して、メイン処理について、フローチャートを用いて説明する。この処理は、貸出装置３０に電源が供給されると実施され、まず、各エラーフラグに初期値の「０」がセットされる等の初期処理が行われる（Ｓ１）。エラーフラグは、「０」が記憶されている場合には監視タグ８６との通信が正常に行われており、「１」が記憶されている場合には監視タグ８６との通信が正常に行われていないこと、つまり異常が発生していることを示している。そして、監視場所１〜監視場所３毎に応答エラーフラグ及びＩＤエラーフラグが設けられている。尚、応答エラーは監視アンテナ６８から送信された呼出波に対して、監視タグ８６が反射波を返信してこなかった場合を示し、ＩＤエラーは反射波に含まれているＩＤコードが予め登録されているものと異なっている場合を示している。
【００５６】
次いで、主基板ボックス８１（監視場所１）（Ｓ２）、本体枠１１０と機枠１１２（監視場所２）（Ｓ３）、前面枠１１１と本体枠１１０（監視場所３）（Ｓ４）の順で監視が行われる。この監視処理については、図１８に示すフローチャートを参照して、後に詳述するが、どの監視場所の監視処理を行うのかの情報は、監視場所を示す番号を用いて監視処理に指示される。
【００５７】
次いで、貸出処理が行われる（Ｓ５）。この貸出処理では、硬貨判定装置７２や紙幣判定装置７３により硬貨又は紙幣が検知されると、その金額が投入金額として記憶され、表示部７７に表示される。また、貸出ボタン７５の押下が検知されると、投入金額に所定の金額（例えば、５００円）があれば、投入金額から所定の金額を減算し、パチンコ機１の払出制御基板４５へ所定数（例えば、１２５球）の遊技球の払い出しを指示する信号が送信される。また、返却ボタン７６の押下が検知されると、投入金額に記憶されている金額の貨幣が紙幣挿入口９１又は硬貨返却口９３へ払い出される。
【００５８】
次いで、ＨＴ処理が行われる（Ｓ６）。中継タグ９０は、ＨＴ４００送信された呼出波をＲＦ回路９０ａに接続したアンテナ９０ｂで受信すると（「呼出波受信手段」に相当）、その呼出波に含まれている情報をＩ／Ｏインタフェイス３７を介して、ＣＰＵ３２へ伝えている（「第２出力手段」に相当）。そこで、ＨＴ処理ではこの情報をこの受信すると（「第１受信手段」に相当）、その情報で指示されている処理（例えば、監視情報の送信、ＩＤコードの変更等）が行われ、その結果がＩ／Ｏインタフェイス３７を介して中継タグ９０へ伝えられる（「第１出力手段」に相当）。そして、中継タグ９０では、その結果を受信すると（「第２受信手段」に相当）、その結果を反射波に含めてＲＦ回路９０ａに接続したアンテナ９０ｂから発信している（「反射波送信手段」に相当）。
【００５９】
次に、図１８のフローチャートを参照して、監視処理について説明する。メイン処理から指示されている監視場所の監視アンテナ６８から呼出波が送信される（Ｓ４１）。そして、監視タグ８６から反射波の返送があるか否かの判断が行われる（Ｓ４２）。反射波の返送がない場合には（Ｓ４２：ＮＯ）、応答エラーが発生している。しかし、既に応答エラーが発生して、応答エラーフラグが「ＯＮ」となっている場合には、既に応答エラー発生の監視情報は記憶されているので、監視情報の記憶は行われない。そこで、応答エラーフラグが「ＯＮ」となっているか否かの判断が行われる（Ｓ４３）。
【００６０】
応答エラーフラグが「ＯＮ」となっている場合（Ｓ４３：ＹＥＳ）、そのまま処理は終了されて、メイン処理へ戻る。「ＯＮ」となっていない場合（Ｓ４３：ＮＯ）には、当該監視場所の応答エラーフラグに「１」が記憶され「ＯＮ」となる（Ｓ４４）。そして、貸出装置３０のＥＥＰＲＯＭ３５の最新監視情報記憶エリア３５１及びＲＡＭ３４の履歴監視情報記憶エリア３４１に監視情報が記憶される（Ｓ４５）。具体的には、最新監視情報記憶エリア３５１の当該監視場所のエリアがクリアされ、現在の日付及び時刻が発生日付及び発生時刻として記憶され、ＩＤエラーに応答エラーを示す「０」が記憶される。そして、履歴監視情報記憶エリア３４１には、時刻に現在の時刻、監視場所に当該監視場所の番号、状態に発生を示す「１」、ＩＤエラーに応答エラーを示す「０」のデータが新しく追加記憶される。そして、島管理端末１００へ応答エラー発生を示すデータが送信され（Ｓ４６）、処理は終了されて、メイン処理へ戻る。
【００６１】
また、監視タグ８６から反射波の返送があった場合には（Ｓ４２：ＹＥＳ）、反射波に含まれているＩＤコードが予め登録されているものと一致しているか否かの判断が行われる（Ｓ５１）。尚、各監視場所に備えられている監視タグ８６のＩＤコードは監視場所を示すコードに対応して貸出装置３０のＥＥＰＲＯＭ３５に記憶されている。ＩＤコードが一致していない場合には（Ｓ５１：ＮＯ）、ＩＤエラーが発生している。しかし、既にＩＤエラーが発生して、ＩＤエラーフラグが「ＯＮ」となっている場合には、既にＩＤエラー発生の監視情報は記憶されているので、監視情報の記憶は行わない。そこで、ＩＤエラーフラグが「ＯＮ」となっているか否かの判断が行われる（Ｓ５２）。
【００６２】
ＩＤエラーフラグが「ＯＮ」となっている場合（Ｓ５２：ＹＥＳ）、監視情報は記憶されないので、そのまま処理は終了されて、メイン処理へ戻る。「ＯＮ」となっていない場合（Ｓ５２：ＮＯ）、当該監視場所のＩＤエラーフラグに「１」が記憶され「ＯＮ」とされる（Ｓ５３）。そして、最新監視情報記憶エリア３５１及び履歴監視情報記憶エリア３４１に監視情報が記憶される（Ｓ５４）。具体的には、最新監視情報記憶エリア３５１の当該監視場所のエリアがクリアされ、現在の日付及び時刻が発生日付及び発生時刻として記憶され、ＩＤエラーにＩＤエラーを示す「１」が記憶される。そして、履歴監視情報記憶エリア３４１には、時刻に現在の時刻、監視場所に当該監視場所の番号、状態に発生を示す「１」、ＩＤエラーにＩＤエラーを示す「１」のデータが新しく追加記憶される。そして、島管理端末１００へＩＤエラー発生を示すデータが送信され（Ｓ５５）、処理は終了されて、メイン処理へ戻る。
【００６３】
また、反射波に含まれているＩＤコードと予め登録されているＩＤコードとが一致している場合には（Ｓ５１：ＹＥＳ）、監視タグ８６と正常に通信が行われており、監視タグ８６も不正なものではないということ、すなわち、当該監視場所は正常であるということになる。そこで、応答エラーフラグ及びＩＤエラーフラグが「ＯＮ」であるかの確認が行われる。「ＯＮ」となっている場合には、エラーが発生しており、回復して、現在正常となっているので、各エラーフラグをクリアし、復帰したことを示す監視情報を記憶する必要がある。
【００６４】
そこで、まず、応答エラーフラグが「ＯＮ」であるか否かの判断が行われる（Ｓ６１）。応答エラーフラグが「ＯＮ」である場合には（Ｓ６１：ＹＥＳ）、当該監視場所の応答エラーフラグに「０」が記憶されて「ＯＦＦ」とされる（Ｓ６２）。そして、最新監視情報記憶エリア３５１及び履歴監視情報記憶エリア３４１に監視情報が記憶される（Ｓ６３）。具体的には、最新監視情報記憶エリア３５１の当該監視場所のエリアがクリアされ、現在の日付及び時刻が復帰日付及び復帰時刻として記憶され、ＩＤエラーに応答エラーを示す「０」が記憶される。そして、履歴監視情報記憶エリア３４１には、時刻に現在の時刻、監視場所に当該監視場所の番号、状態に復帰を示す「２」、ＩＤエラーに応答エラーを示す「０」のデータが新しく追加記憶される。そして、島管理端末１００へ応答エラー復帰を示すデータが送信され（Ｓ６４）、処理は終了されて、メイン処理へ戻る。
【００６５】
また、応答エラーフラグが「ＯＮ」でない場合には（Ｓ６１：ＮＯ）、ＩＤエラーフラグが「ＯＮ」であるか否かの判断が行われる（Ｓ６５）。ＩＤエラーフラグが「ＯＮ」である場合には（Ｓ６５：ＹＥＳ）、当該監視場所のＩＤエラーフラグに「０」が記憶されて「ＯＦＦ」とされる（Ｓ６６）。そして、最新監視情報記憶エリア３５１及び履歴監視情報記憶エリア３４１に監視情報が記憶される（Ｓ６７）。具体的には、最新監視情報記憶エリア３５１の当該監視場所のエリアがクリアされ、現在の日付及び時刻が復帰日付及び復帰時刻として記憶され、ＩＤエラーにＩＤエラーを示す「１」が記憶される。そして、履歴監視情報記憶エリア３４１には、時刻に現在の時刻、監視場所に当該監視場所の番号、状態に復帰を示す「２」、ＩＤエラーにＩＤエラーを示す「１」のデータが新しく追加記憶される。そして、島管理端末１００へＩＤエラー復帰を示すデータが送信され（Ｓ６８）、処理は終了されて、メイン処理へ戻る。
【００６６】
そして、ＩＤエラーフラグが「ＯＮ」でない場合には（Ｓ６５：ＮＯ）、前回の監視から引き続き正常であることを示しているので、そのまま処理は終了されて、メイン処理へ戻る。以上のようにして、監視場所１〜監視場所３の監視が行われる。
【００６７】
このようにして、メイン処理が繰り返されることにより、遊技球を貸し出す貸出装置３０において、監視タグ８６ａ〜８６ｃへ呼出波を送信することにより、監視タグ８６ａ〜８６ｃの移動や取替え、すなわち、監視タグ８６の設置場所の部材の不正な開放を監視している。また、ＨＴ４００と通信をして、ＨＴ４００からの指示にしたがって、監視情報を出力したり、各種設定を行ったりすることができる。
【００６８】
10．実施の形態と請求項との対比
尚、上記実施の形態では、主基板ボックス８１の上蓋部８１ａ、機枠１１２、前面枠１１１が「所定の部材」に該当し、上蓋部８１ａと下蓋部８１ｃとが閉じられている状態、本体枠１１０と機枠１１２とが閉じられている状態、前面枠１１１と本体枠１１０とが閉じられている状態が「所定の位置に存在」している状態に相当する。また、貸出装置３０が「監視手段」及び「遊技媒体貸出装置」に該当し、ＨＴ４００が「携帯情報端末」に該当する。また、監視アンテナ６８ａ〜６８ｃが「第１アンテナ」に該当し、ＨＴ４００のアンテナ４０２が「第２アンテナ」に該当し、遊技場管理端末３００が「管理端末」に該当する。
【００６９】
そして、貸出装置３０のＲＦ回路３８が「第１呼出波送信手段」及び「第１反射波受信手段」に該当し、ＨＴ４００のＲＦ回路４１０が「第２呼出波送信手段」及び「第２反射波受信手段」に該当する。また、図１４に示す貸出装置３０のＥＥＰＲＯＭ３５の最新監視情報記憶エリア３５１、図１５に示す貸出装置３０のＲＡＭ３４の履歴監視情報記憶エリア３４１「監視情報記憶手段」に該当し、ＥＥＰＲＯＭ３５において、監視タグ８６のＩＤコードを記憶されたエリアが「監視識別情報記憶手段」に該当する。また、遊技場管理端末３００の監視情報記憶エリア３６１が「総合監視情報記憶エリア」に該当する。また、図１８に示す監視処理のフローチャートのＳ４２，Ｓ５１の処理を行うＣＰＵ３２が「判断手段」に相当し、Ｓ４６，Ｓ５５，Ｓ６４，Ｓ６８の処理を行うＣＰＵ３２が「監視情報送信手段」に相当する。
【００７０】
11．実施の形態の効果
以上説明したように、上記の実施の形態の貸出装置３０では、監視タグ８６ａ〜８６ｃによりパチンコ機１の主基板ボックス８１、本体枠１１０と機枠１１２、前面枠１１１と本体枠１１０の開放を監視し、その監視情報を貸出装置３０に記憶することができる。また、貸出装置３０に記憶された監視情報は、遊技場内に設置された島管理端末１００へ送信されて、障害の発生が報知される。そして、遊技場管理端末３００において遊技場内のパチンコ機１の監視情報が統括管理される。さらにＨＴ４００を用いて、貸出装置３０の中継タグ９０と通信することにより、監視情報の閲覧や監視についての設定等を行うこともできる。したがって、従来から遊技機設置島２００に設置されている貸出装置３０において、ＩＣタグを用いた遊技機の監視を行うことができるので、ＩＣタグを用いた監視システムを導入するに当たって、監視のために別の機器を設置するスペースを確保しなくてもよい。
【００７１】
12．変形例の説明
尚、本発明は、以上詳述した実施の形態に限定されるものではなく、種々の変更が可能である。以下に、本発明を適用する実施の形態の変形例について説明する。まず、本実施形態では所定の動作を行う装置として、遊技機の一種であるパチンコ機を例に挙げているが、所定の動作を行う装置は遊技機であるパチンコ機に限られず、パチコン機、パチスロ台等の各種の遊技機に適用可能である。
【００７２】
また、上記実施の形態では、被監視部材としてパチンコ機１の主基板ボックス８１、本体枠１１０と機枠１１２、前面枠１１１と本体枠１１０、夫々一箇所に監視タグを設置したが、移動を監視される部材はこれに限らず、他の基板収納ボックスや、大入賞口や普通図柄始動ゲート等の入賞口に設置して、その開閉状態を監視してもよい。また、監視タグを設置する場所は各部材に一箇所である必要はなく、複数の位置に設置してもよい。さらに、遊技機がパチンコ機１でない場合にはもちろん、移動を監視される部材は上記実施の形態の部材に限らず、遊技機に備えられ、開閉が行われる開閉部材や装置を構成する構成部材であればよく、開閉部材の開閉や構成部材の所在を監視するために、１つ又は複数の監視タグを開閉部材や構成部材に設置して、その部材の移動を監視してもよい。
【００７３】
また、上記実施の形態では、ＨＴ４００としてＰＤＡの形状をしている端末装置を使用したが、これはＰＤＡに限らず、携帯電話や他の携帯情報端末や専用機でも構わず、ＲＦ回路３８を備え、貸出装置３０の中継タグ９０と通信を行うことができるものであればよい。また、中継タグ９０の設置位置は貸出装置３０の前面上部でなくとも、前面側にあり、ＨＴ４００のアンテナ４０２を向けたときに通信をし易い位置であればよい。また、ケーブル９０ｋを延長して、パチンコ機１の前面や遊技機設置島２００におけるパチンコ機１及び貸出装置３０の近傍に設置してもよい。
【００７４】
また、上記実施の形態では、島管理端末１００において監視情報を報知し、その監視情報に対して遊技場内で係員が対応できるように構成されており、遊技場管理端末３００では、島管理端末１００を介して店内ネットワーク１５０に接続している全てのパチンコ機１の監視情報を収集し、蓄積することができるように構成されている。しかしながら、島管理端末１００を介すことなく、監視情報を直接遊技場管理端末３００に送信してもよい。また、遊技機設置島２００毎に島管理端末１００を設置せずに、全てのパチンコ機１を遊技場管理端末３００に接続して、遊技場管理端末３００で監視情報の報知も行うようにしてもよい。
【００７５】
また、上記実施の形態の貸出装置３０は、現金と交換して遊技球を貸し出している現金対応のものであるが、他の有価情報を有する媒体を使用するものであっても良いことは言うまでもない。例えば、別途発行されたプリペイドカードを使用するものであってもよい。また、上記実施の形態では、貸出ボタン７５，返却ボタン７６，表示部７７は貸出装置３０に設けられていたが、これはパチンコ機１の上皿５や下皿６等の遊技機前面や遊技機設置島に設けられ、貸出装置３０に接続していてもよい。
【図面の簡単な説明】
【００７６】
【図１】本実施の形態の監視システムの構成図である。
【図２】パチンコ機１の前面枠１１１及び本体枠１１０を開いた状態をパチンコ機１の前面から見た斜視図である。
【図３】パチンコ機１の背面図である。
【図４】貸出装置３０の正面図である。
【図５】パチンコ機１及びパチンコ機１に接続した貸出装置３０の電気的構成を示すブロック図である。
【図６】主基板ボックス８１の斜視図である。
【図７】監視タグ８６ａ〜８６ｃの平面図である。
【図８】監視タグ８６ａ〜８６ｃの電気的回路構成を示すブロック図である。
【図９】中継タグ９０の電気的回路構成を示すブロック図である。
【図１０】島管理端末１００の電気的構成を示すブロック図である。
【図１１】遊技場管理端末３００の電気的構成を示すブロック図である。
【図１２】ＨＴ４００の斜視図である。
【図１３】ＨＴ４００の電気的構成のブロック図である。
【図１４】各監視場所の最新の監視情報が記憶されている貸出装置３０のＥＥＰＲＯＭ３５の最新監視情報記憶エリア３５１の概念図である。
【図１５】１日分の監視情報が記憶されている貸出装置３０のＲＡＭ３４の履歴監視情報記憶エリア３４１の概念図である。
【図１６】全てのパチンコ機１の監視情報が記憶されている遊技場管理端末３００の監視情報記憶エリア３６１の概念図である。
【図１７】貸出装置３０のＣＰＵ３２で実施されるメイン処理のフローチャートである。
【図１８】メイン処理の中で行われる監視場所の監視を行う監視処理のフローチャートである。
【符号の説明】
【００７７】
１  パチンコ機
３０  貸出装置
３２  ＣＰＵ
３４  ＲＡＭ
３５  ＥＥＰＲＯＭ
３７  Ｉ／Ｏインタフェイス
３８  ＲＦ回路
５４  Ｉ／Ｏインタフェイス
６７  払出装置
６８ａ  監視アンテナ
６８ｂ  監視アンテナ
６８ｃ  監視アンテナ
８１  主基板ボックス
８６ａ  監視タグ
８６ｂ  監視タグ
８６ｃ  監視タグ
９０ａ  ＲＦ回路
９０ｂ  アンテナ
９０ｆ  ＣＰＵ
１００  島管理端末
１０１  ＣＰＵ
１１０  本体枠
１１１  前面枠
１１２  機枠
１１３  本体
１５０  店内ネットワーク
２００  遊技機設置島
３００  遊技場管理端末
３０１  ＣＰＵ
３４１  履歴監視情報記憶エリア
３５１  最新監視情報記憶エリア
３６１  監視情報記憶エリア
４００  ＨＴ
４０２  アンテナ
４１０  ＲＦ回路
４１１  ＣＰＵ
【図１】
2005348823.tif 000003
【図２】
2005348823.tif 000004
【図３】
2005348823.tif 000005
【図４】
2005348823.tif 000006
【図５】
2005348823.tif 000007
【図６】
2005348823.tif 000008
【図７】
2005348823.tif 000009
【図８】
2005348823.tif 000010
【図９】
2005348823.tif 000011
【図１０】
2005348823.tif 000012
【図１１】
2005348823.tif 000013
【図１２】
2005348823.tif 000014
【図１３】
2005348823.tif 000015
【図１４】
2005348823.tif 000016
【図１５】
2005348823.tif 000017
【図１６】
2005348823.tif 000018
【図１７】
2005348823.tif 000019
【図１８】
2005348823.tif 000020